(57)【要約】【課題】  示名条押さえ（ボタンカバー）の操作が簡易で、示名条押さえを紛失することがなく、構造が堅牢で、しかも、コンパクトなボタンにおける示名条押さえ兼ボタンカバーのボタン本体への取付け構造を提供する。【解決手段】  ボタンは、ボタン本体１と、透明又は半透明の示名条押さえ兼ボタンカバー２と、ボタンカバー２をボタン本体に回転可能に取付ける軸２ａ１及び軸受と、ボタンカバーをボタン本体にロックするロック機構（ロック用凹部１ａ３、被ロック用凸部２ａ４）とから構成される。ボタンカバーをボタン本体に対して所要角度回転させてロック機構によるロックから解除した状態で、ボタンカバーから示名条を取出し、他の示名条をボタンカバーに挿入する。【選択図】  図２
2005166367.tif 000002
【特許請求の範囲】
【請求項１】
ボタン本体と、透明又は半透明の示名条押さえ兼ボタンカバーと、前記示名条押さえ兼ボタンカバーを前記ボタン本体に回転可能に取付ける軸及び軸受と、前記示名条押さえ兼ボタンカバーを前記ボタン本体にロックするロック機構とから構成され、
前記示名条押さえ兼ボタンカバーを所要角度回転させて前記ロック機構によるロックから解除した状態で、前記示名条押さえ兼ボタンカバーに対して示名条を着脱することを特徴とするボタンにおける示名条押さえ兼ボタンカバーのボタン本体への取付け構造。
【請求項２】
請求項１記載のボタンにおける示名条押さえ兼ボタンカバーのボタン本体への取付け構造において、前記示名条押さえ兼ボタンカバーに対して示名条を着脱することに代えて、前記ボタン本体の前記示名条押さえ兼ボタンカバーへの対向面上に示名条を着脱することを特徴とするボタンにおける示名条押さえ兼ボタンカバーのボタン本体への取付け構造。
【請求項３】
前記ロック機構は前記ボタン本体又は前記示名条押さえ兼ボタンカバーの一方に設けられたロック用凹部と他方に設けられた被ロック用凸部とから構成されることを特徴とする請求項１又は２記載のボタンにおける示名条押さえ兼ボタンカバーのボタン本体への取付け構造。
【請求項４】
ボタン本体と、透明又は半透明の示名条押さえ兼ボタンカバーと、前記示名条押さえ兼ボタンカバーを前記ボタン本体にスライド可能に取付けるレール及び前記レールにはまる溝と、前記示名条押さえ兼ボタンカバーの前記ボタン本体に対する過度のスライドを阻止するストッパ及び被ストッパと、前記示名条押さえ兼ボタンカバーを前記ボタン本体にロックするロック機構とから構成され、
前記示名条押さえ兼ボタンカバーを所要ストロークスライドさせて前記ロック機構によるロックから解除した状態で、前記示名条押さえ兼ボタンカバーに対して示名条を着脱することを特徴とするボタンにおける示名条押さえ兼ボタンカバーのボタン本体への取付け構造。
【請求項５】
請求項４記載のボタンにおける示名条押さえ兼ボタンカバーのボタン本体への取付け構造において、前記示名条押さえ兼ボタンカバーに対して示名条を着脱することに代えて、前記ボタン本体の前記示名条押さえ兼ボタンカバーへの対向面上に示名条を着脱することを特徴とするボタンにおける示名条押さえ兼ボタンカバーのボタン本体への取付け構造。
【請求項６】
前記ロック機構は前記ボタン本体又は前記示名条押さえ兼ボタンカバーの一方に設けられたロック用凹部と他方に設けられた被ロック用凸部とから構成されることを特徴とする請求項４又は５記載のボタンにおける示名条押さえ兼ボタンカバーのボタン本体への取付け構造。
【発明の詳細な説明】
【技術分野】
【０００１】
本発明は、電話機のワンタッチボタン又は諸電子機器のキーボードに用いられるキースイッチボタン等の機能操作用のボタンに関し、特にこのボタンが機能を表示する示名条を備え、ボタン本体にボタンカバーを取付ける構造に関する。
【背景技術】
【０００２】
従来の第１の技術である示名条及び示名条押さえを備えるボタンについて図５を参照して説明する。
【０００３】
長方形枠状のボタン１１の表面に長方形状の示名条１２が備えられている。示名条押さえ１３は、弾性変形可能な透明薄板から長方形状に製作され、長方形の対向する両辺にそれぞれ係合突出片１３ａを形成される。
【０００４】
示名条押さえ１３をボタン１１に取付ける方法について説明する。まず、示名条押さえ１３を手指等によって弓形に反らせる。次に、示名条押さえ１３の各係合突出片１３ａをボタン１１の対向する両内縁１１ａに係合させる。続いて、示名条押さえ１３から手指等を離すと、示名条押さえ１３は、弾性によって平坦な形状に復元する。したがって、示名条押さえ１３は、ボタン１１に取付けられる。
【０００５】
示名条１２を交換または書換えする方法について説明する。まず、マイナスドライバ等の先端が薄い器具を各係合突出片１３ａが形成されていない示名条押さえ１３の一辺の内側に挿入し、示名条押さえ１３を弓形に反らせ、各係合突出片１３ａをボタン１１の両内縁１１ａから離脱させる。次に、示名条押さえ１３を手指等によってボタン１１から取り出す。続いて、示名条１２を手指等によってボタン１１から取り出した後、新たに他の示名条又は書換えた示名条１２をボタン１１内に挿入する。以後は、前述した示名条押さえ１３をボタン１１に取付ける方法と同様の操作を行う。
【０００６】
この種の技術は、本出願前に頒布された文献に記載されている（例えば、特許文献１及び２参照。）。
【０００７】
従来の第２の技術であるキースイッチボタンについて説明する（例えば、特許文献３参照。）。
【０００８】
キースイッチボタン２１は、図６（Ａ）に示されるように、本体２２と、カバー２３と、本体２２とカバー２３とを連結するヒンジ部２４とから構成される。キースイッチボタン２１は、合成樹脂を材料として一体成形によって製造される。カバー２３は、透明又は半透明である。
【０００９】
示名条２５を、図６（Ｂ）に示されるように、本体２２の上に載置した後、カバー２３をヒンジ部２４を支点軸として回転させて本体２２に被覆する。すると、カバー２３に設けられた係合突出片２３ａが本体２２に設けられた溝２２ａに係合するので、示名条２５はキースイッチボタン２１内に保持される。
【特許文献１】実開昭５７−１１６９７６号公報
【特許文献２】実開昭６２−１６９８４号公報
【特許文献３】実開平１−８６１３０号公報
【発明の開示】
【発明が解決しようとする課題】
【００１０】
前記従来の第１の技術では、示名条押さえ１３をボタンに着脱する操作が面倒であり、また、マイナスドライバ等の器具を必要とし、更に、示名条押さえ１３を紛失する支障が生じる。
【００１１】
前記従来の第２の技術では、ヒンジ部２４の構造上の強度が弱く、また、カバー２３は本体２２（示名条２５）の表面に対して直交する方向に回転するため、カバー２３を操作する際、その方向のスペースが必要となる。
【００１２】
そこで、本発明は、前記従来の両技術の欠点を改良し、示名条押さえ（ボタンカバー）の操作が簡易で、示名条押さえを紛失することがなく、構造が堅牢で、しかも、コンパクトなボタンにおける示名条押さえ兼ボタンカバーのボタン本体への取付け構造を提供しようとするものである。
【課題を解決するための手段】
【００１３】
本発明は、前記課題を解決するため、次の手段を採用する。
【００１４】
１．ボタン本体と、透明又は半透明の示名条押さえ兼ボタンカバーと、前記示名条押さえ兼ボタンカバーを前記ボタン本体に回転可能に取付ける軸及び軸受と、前記示名条押さえ兼ボタンカバーを前記ボタン本体にロックするロック機構とから構成され、前記示名条押さえ兼ボタンカバーを所要角度回転させて前記ロック機構によるロックから解除した状態で、前記示名条押さえ兼ボタンカバーに対して示名条を着脱するボタンにおける示名条押さえ兼ボタンカバーのボタン本体への取付け構造。
【００１５】
２．前記１記載のボタンにおける示名条押さえ兼ボタンカバーのボタン本体への取付け構造において、前記示名条押さえ兼ボタンカバーに対して示名条を着脱することに代えて、前記ボタン本体の前記示名条押さえ兼ボタンカバーへの対向面上に示名条を着脱するボタンにおける示名条押さえ兼ボタンカバーのボタン本体への取付け構造。
【００１６】
３．前記ロック機構は前記ボタン本体又は前記示名条押さえ兼ボタンカバーの一方に設けられたロック用凹部と他方に設けられた被ロック用凸部とから構成される前記１又は２記載のボタンにおける示名条押さえ兼ボタンカバーのボタン本体への取付け構造。
【００１７】
４．ボタン本体と、透明又は半透明の示名条押さえ兼ボタンカバーと、前記示名条押さえ兼ボタンカバーを前記ボタン本体にスライド可能に取付けるレール及び前記レールにはまる溝と、前記示名条押さえ兼ボタンカバーの前記ボタン本体に対する過度のスライドを阻止するストッパ及び被ストッパと、前記示名条押さえ兼ボタンカバーを前記ボタン本体にロックするロック機構とから構成され、前記示名条押さえ兼ボタンカバーを所要ストロークスライドさせて前記ロック機構によるロックから解除した状態で、前記示名条押さえ兼ボタンカバーに対して示名条を着脱するボタンにおける示名条押さえ兼ボタンカバーのボタン本体への取付け構造。
【００１８】
５．前記４記載のボタンにおける示名条押さえ兼ボタンカバーのボタン本体への取付け構造において、前記示名条押さえ兼ボタンカバーに対して示名条を着脱することに代えて、前記ボタン本体の前記示名条押さえ兼ボタンカバーへの対向面上に示名条を着脱するボタンにおける示名条押さえ兼ボタンカバーのボタン本体への取付け構造。
【００１９】
６．前記ロック機構は前記ボタン本体又は前記示名条押さえ兼ボタンカバーの一方に設けられたロック用凹部と他方に設けられた被ロック用凸部とから構成される前記４又は５記載のボタンにおける示名条押さえ兼ボタンカバーのボタン本体への取付け構造。
【発明の効果】
【００２０】
明細書の説明から明らかなように、本発明は、次の効果を奏する。
【００２１】
１．示名条の示名条押さえ兼ボタンカバー又はボタン本体に対する着脱の準備操作は、示名条押さえ兼ボタンカバーの回転又はスライドのみであるので、簡易である。
【００２２】
２．示名条押さえ兼ボタンカバーとボタン本体とは、軸及び軸受、又は、レール及びレールにはまる溝とストッパ及び被ストッパによって連結されているから、別々に分離しないので、示名条押さえ兼ボタンカバーを紛失することがない。
【００２３】
３．ボタン全体の構造が堅牢である。
【００２４】
４．ボタンがコンパクトに構成される。
【発明を実施するための最良の形態】
【００２５】
本発明の２つの実施例のボタンにおける示名条押さえ兼ボタンカバーのボタン本体への取付け構造について説明する。
【実施例１】
【００２６】
本発明の実施例１について図１〜図３を参照して説明する。
【００２７】
ボタンは、図１に示されるように、ボタン本体１と、ボタン本体１に回転可能に取付けられる示名条押さえ兼ボタンカバー２とから構成される。本書において、以下に「示名条押さえ兼ボタンカバー」を「ボタンカバー」ということがある。ボタンカバー２は、透明又は半透明である。ボタン本体１の上部１ａには、軸受１ａ１が設けられ、ボタンカバー２の下面２ａには、回転軸２ａ１が設けられ、回転軸２ａ１は軸受１ａ１に回転可能に支持される。
【００２８】
ボタンの詳細な構造について図２（Ａ）〜（Ｆ）を参照して説明する。ボタン本体１のトラック状の上部１ａにおける周縁の一部には、フランジ（周縁突出部）１ａ２が形成され、フランジ１ａ２の中間が欠除されてロック用凹部１ａ３となる。ボタンカバー２のトラック状の下面２ａにおける周縁の大部分には、フランジ（周縁突出部）２ａ２が形成され、フランジ２ａ２が形成されていない円弧状部分２ａ３の中央に被ロック用凸部２ａ４が形成されている。
【００２９】
図２（Ａ）〜（Ｃ）は、ボタンカバー２がボタン本体１に対して回転途中の状態を示す。ボタンカバー２がボタン本体１に対して所定の位置まで回転すると、ボタンは図２（Ｄ）〜（Ｆ）の状態に至る。この状態では、ボタンカバー２の被ロック用凸部２ａ４は、ボタン本体１のロック用凹部１ａ３に嵌合することによってロックされる。ロックは、フランジ１ａ２又は被ロック用凸部２ａ４の少なくとも一方の弾性変形によって行われる。
【００３０】
示名条３の交換について図３を参照して説明する。図３（Ａ）に示されているボタンカバー２がボタン本体１にロックされている状態において、ボタンカバー２を回転軸２ａ１を中心として手指によって矢印方向に所要角度回転させると、ロックは解除され、ボタンカバー２は図３（Ｂ）に示される状態に至る。この状態で、ボタンカバー２に内蔵されている示名条３を他の示名条に交換する。この後、ボタンカバー２をボタン本体１に対して反対方向に回転させると、ボタンカバー２は図３（Ｃ）に示される状態に至ってボタン本体１にロックされる。
【００３１】
実施例１においては、軸受１ａ１をボタンカバー２に、回転軸２ａ１をボタン本体１に、それぞれ設けるように設計変更することができる。
【実施例２】
【００３２】
本発明の実施例２について図４を参照して説明する。実施例２についての説明は、実施例１と同様な点の説明を省略し、相違する点のみの説明を行う。
【００３３】
実施例１においては、ボタンカバー２はボタン本体１に対して回転することができるのに対して、実施例２においては、ボタンカバー２はボタン本体１に対して直線状にスライドすることができる。ボタン本体１の上部１ａの両側には、それぞれ断面Ｉ字型又はＴ字型のレール１ａ４が形成され、ボタンカバー２の下面の両側には、各レール１ａ４に弾性変形によってはまる溝（図示せず）がそれぞれ形成される。
【００３４】
図４（Ａ）に示されるボタンカバー２がボタン本体１にロックされた状態において、ボタンカバー２を矢印方向にスライドさせると、ボタンカバー２は図４（Ｂ）に示される状態に至る。ボタンカバー２の下面には、突出部（被ストッパ）（図示せず）が設けられ、ボタン本体１の上部１ａには、ストッパ（図示せず）が設けられ、突出部がストッパに突き当たることによって、ボタンカバー２は図４（Ｂ）の位置よりも先にスライドすることを阻止される。
【００３５】
図４（Ｂ）に示される状態において、示名条３を交換した後、ボタンカバー２を反対方向にスライドさせると、ボタンカバー２は図４（Ｃ）に示される状態に至ってボタン本体１にロックされる。
【００３６】
実施例２においては、各レール１ａ４をボタンカバー２に、各溝をボタン本体１に、それぞれ設けるように設計変更することができる。
【００３７】
本発明の各実施例においては、ボタン本体１とボタンカバー２の各材料に合成樹脂又は金属等を採用することができる。
【００３８】
また、示名条３をボタンカバー２に内蔵する代りに、ボタン本体１の上部１ａに載置するように設計変更することができる。この場合、ボタン本体１の上部１ａとボタンカバー２の下面２ａとの間に若干の隙間を設けることによって、ボタンカバー２が回転又はスライドするとき、示名条３を引きずることが防止される。
【００３９】
更に、ロック用凹部１ａ３、被ロック用凸部２ａ４を、それぞれボタンカバー２、ボタン本体１に形成するように設計変更することができる。
【００４０】
更に、示名条３を他の示名条と交換する代りに、示名条３を書換えるか又は表裏反転することもできる。
【図面の簡単な説明】
【００４１】
【図１】本発明の実施例１に係るボタンの組立前の斜視図である。
【図２】同ボタンの諸図であり、（Ａ）はボタンカバーが回転途中の状態の正面図、（Ｂ）は（Ａ）における線Ａ−Ａによる断面図、（Ｃ）は同状態の斜視図、（Ｄ）は同ボタンカバーがボタン本体にロックされている状態の正面図と要部の拡大図、（Ｅ）は（Ｄ）における線Ｂ−Ｂによる断面図、（Ｆ）は同状態の斜視図を、それぞれ示す。
【図３】同ボタンにおける示名条を交換する過程を示す斜視図であり、（Ａ）は交換前の同ボタンカバーが同ボタン本体にロックされている状態、（Ｂ）は交換途中の状態、（Ｃ）は交換後の同ボタンカバーが同ボタン本体にロックされている状態を、それぞれ示す。
【図４】本発明の実施例２に係るボタンにおける示名条を交換する過程を示す斜視図であり、（Ａ）は交換前のボタンカバーがボタン本体にロックされている状態、（Ｂ）は交換途中の状態、（Ｃ）は交換後の同ボタンカバーが同ボタン本体にロックされている状態を、それぞれ示す。
【図５】従来の第１の技術である示名条及び示名条押さえを備えるボタンの組立過程を示す斜視図である。
【図６】従来の第２の技術であるキースイッチボタンであり、（Ａ）はカバーが本体から開いた状態の斜視図、（Ｂ）は同キースイッチボタンの断面図を、それぞれ示す。
【符号の説明】
【００４２】
１  ボタン本体
１ａ  上部
１ａ１  軸受
１ａ２  フランジ（周縁突出部）
１ａ３  ロック用凹部
１ａ４  レール
２  示名条押さえ兼ボタンカバー、ボタンカバー
２ａ  下面
２ａ１  回転軸
２ａ２  フランジ（周縁突出部）
２ａ３  円弧状部分
２ａ４  被ロック用凸部
３  示名条
【図１】
2005166367.tif 000003
【図２】
2005166367.tif 000004
【図３】
2005166367.tif 000005
【図４】
2005166367.tif 000006
【図５】
2005166367.tif 000007
【図６】
2005166367.tif 000008